(57)【特許請求の範囲】
【請求項１】
液体の流通が可能であって、軸方向所定位置には径方向外側に突出する肩部が形成された可動鈍針と、
前記可動鈍針と同軸に前記可動鈍針の外側に形成された外筒体と、
前記可動鈍針を軸方向に移動可能に保持する鈍針保持部と、
前記可動鈍針の流路を塞ぐように設置され、前記可動鈍針の軸方向後端側への移動に伴って開口する弁部と、を備え、
前記可動鈍針の軸方向先端部は、軸方向後端部に対して径が小さく、
接続相手先に前記可動鈍針の前記軸方向先端部が挿入されると、前記可動鈍針が軸方向後端側に移動して前記弁部が開口し、前記可動鈍針の流路入口側が開通した状態において前記肩部が接続相手先に当接している
ことを特徴とする雄コネクター。
【請求項２】
前記可動鈍針が前記弁部を所定の開口状態に開口させた位置よりも軸方向後端側に移動するのを規制する移動規制部を、前記可動鈍針の外周部に備えた
ことを特徴とする請求項１記載の雄コネクター。
【請求項３】
前記外筒体の先端周縁部には前記接続相手先に設けられた突起部を係止する溝で画定された係止部が周方向に配置され、前記係止部には軸方向の力に対応する係止面と前記係止面から延設され周方向の力に対応する鉤面とが形成されており、
前記接続相手先に設けられた突起部を前記係止部に係合させることにより、前記接続相手先との接続状態が固定される
ことを特徴とする請求項１又は請求項２記載の雄コネクター。
【請求項４】
請求項１〜請求項３のいずれか一項に記載の雄コネクターと、
前記雄コネクターの前記外筒体内部に挿入可能な接続筒部、及び前記接続筒部の内側に充填されたシール性を有し前記可動鈍針を挿入可能なスリットが形成されたセプタムを備えた雌コネクターと、を備え、
前記雌コネクターの前記スリットに前記可動鈍針を挿入すると前記可動鈍針が軸方向後端側に移動して前記弁部を開口させ、前記可動鈍針の流路入口側が開通した状態において前記肩部が前記セプタムに当接している
ことを特徴とする輸液ラインの接続装置。
【発明の詳細な説明】
【技術分野】
【０００１】
本発明は、薬液などの流体を患者へと導く輸液ラインの雄コネクター及びこれを備えた輸液ラインの接続装置に関する。
【背景技術】
【０００２】
従来、医療現場では、薬液や血液等の液体を、チューブを介して患者に供給する輸液システムが用いられている。このような輸液システムでは、チューブの端部に設けられた雄コネクターと雌コネクターとを接続することにより両チューブを連通させる接続装置が使用されている。
【０００３】
そして、輸液システムで患者に対して供給されうる例えば抗がん剤や輸液剤などの液体は、細胞障害の誘発特性や、遺伝毒性、発がん性、胎児奇形性等を有することがあるため、医療従事者や患者に流体が付着するのを防ぐべく、液漏れを抑制できる輸液システムが望まれている。
【０００４】
雌コネクターとの接続状態を解除したときに開口部から輸液が漏れるのを防止することを目的とした雄コネクターとして、「先端側周壁に開口部を有する有底筒状の注入部」を備え、「前記開口部を塞ぐように前記注入部に外挿され前記基部側に向けて所定以上の押圧力を受けたときに該注入部の軸に沿って移動して前記開口部を開き、該押圧力を解除すると前記先端側へ戻って前記開口部を塞ぐ保護シャッター」を備えたものが提案されている（例えば、特許文献１参照）。
【０００５】
また、雌ルアーに接続される雄ルアーを備えた雄コネクターとして、雄コネクターの入口部と出口部の間に「管状弾性体１５」を設けたものが提案されている。この「管状弾性体１５」は「隔膜２２」を備えており、通常は「隔膜２２」が雄コネクターの入口部と出口部との間を塞いでいるが、雄ルアーを雌ルアーに接続すると「隔膜２２」に設けられた「切れ目２３」が開いて入口部と出口部との間に流路が形成されるようになっている（例えば、特許文献２参照）。
【先行技術文献】
【特許文献】
【０００６】
【特許文献１】特開２００６−１０２２５４号公報（第３頁、図４）
【特許文献２】ＥＰ１７４７７９６Ａ１（第４頁、ＦＩＧ．２、ＦＩＧ．３）
【発明の概要】
【発明が解決しようとする課題】
【０００７】
上記特許文献１では、弾性体で構成された保護シャッターが開口部を覆っているが、この保護シャッターは注入部を径方向に締め付ける自身の弾性力によって注入部に保持されているのみである。このため、意図しないときに保護シャッターが軸方向にずれて開口部を開くおそれがあった。そして、保護シャッターは、雄コネクターと雌コネクターとを着脱する際には径が拡大している注入部の軸に沿って移動するため、変形量が大きくへたりやすい。保護シャッターの弾性力にへたりが生じると、適切に開口部を覆うことができず、開口部から液漏れが生じるおそれがあった。
【０００８】
本発明は、上記のような課題を解決するためになされたものであり、雌コネクターに接続されていないときの液漏れを抑制でき、この液漏れを抑制する構造の耐久力の低下を抑制できる雄コネクター及びこの雄コネクターを備えた輸液ラインの接続装置を提供するものである。
【課題を解決するための手段】
【０００９】
本発明に係る雄コネクターは、液体の流通が可能であって、軸方向所定位置には径方向外側に突出する肩部が形成された可動鈍針と、可動鈍針と同軸に可動鈍針の外側に形成された外筒体と、可動鈍針を軸方向に移動可能に保持する鈍針保持部と、可動鈍針の流路を塞ぐように設置され、可動鈍針の軸方向後端側への移動に伴って開口する弁部と、を備え、可動鈍針の軸方向先端部は、軸方向後端部に対して径が小さく、接続相手先に可動鈍針の軸方向先端部が挿入されると、可動鈍針が軸方向後端側に移動して弁部が開口し、可動鈍針の流路入口側が開通した状態において肩部が接続相手先に当接しているものである。
【００１０】
本発明に係る雄コネクターは、可動鈍針が弁部を所定の開口状態に開口させた位置よりも軸方向後端側に移動するのを規制する移動規制部を、可動鈍針の外周部に備えたものである。
【００１１】
本発明に係る雄コネクターの外筒体の先端周縁部には接続相手先に設けられた突起部を係止する溝で画定された係止部が周方向に配置され、係止部には軸方向の力に対応する係止面と係止面から延設され周方向の力に対応する鉤面とが形成されており、接続相手先に設けられた突起部を係止部に係合させることにより、接続相手先との接続状態が固定されるものである。
【００１２】
本発明に係る輸液ラインの接続装置は、上記雄コネクターと、雄コネクターの外筒体内部に挿入可能な接続筒部、及び接続筒部の内側に充填されたシール性を有し可動鈍針を挿入可能なスリットが形成されたセプタムを備えた雌コネクターと、を備え、雌コネクターのスリットに可動鈍針を挿入すると可動鈍針が軸方向後端側に移動して弁部を開口させ、可動鈍針の流路入口側が開通した状態において肩部がセプタムに当接しているものである。
【発明の効果】
【００１３】
本発明に係る雄コネクターは、内部に流路を有する可動鈍針が鈍針保持部により軸方向に移動可能に保持されている。また、可動鈍針の流路入口側を塞ぐように設置され、可動鈍針が軸方向後端側に移動したときに押圧されて開口する弁部を設けている。そして、接続相手先に可動鈍針を挿入すると可動鈍針が軸方向後端側に移動して弁部を開口させ、可動鈍針の流路入口側が開通した状態において肩部が接続相手先に当接している。このため、雄コネクターを接続相手先から取り外したときに雄コネクター側から液体が漏れるのを抑制することができる。また、弁部は、可動鈍針が軸方向後端側に移動したとき、すなわち雄コネクターを接続相手先に接続したときにのみ変形するので、弁部の変形量は少なく、液漏れ抑制の耐久力の低下を抑制できる。
【００１４】
本発明に係る雄コネクターは、可動鈍針が弁部を所定の開口状態に開口させた位置よりも軸方向後端側に移動するのを規制する移動規制部を、可動鈍針の外周部に備えた。このため、可動鈍針が過剰に軸方向後端側に移動して弁部を押し広げすぎるのを防ぐことができる。
【００１５】
本発明に係る雄コネクターの外筒体の先端周縁部には、接続相手先に設けられた突起部を係止する溝で画定された係止部が周方向に配置され、係止部には軸方向の力に対応する係止面とこの係止面から延設され周方向の力に対応する鉤面とが形成されている。そして、接続相手先に設けられた突起部を係止部に係合させることにより、接続相手先との接続状態が固定される。このため、接続状態にある雄コネクターと接続相手先との距離を一定にできるので、雄コネクターと接続相手先との間で流体を安定的に流通させることができる。
【００１６】
本発明に係る輸液ラインの接続装置は、上記雄コネクターを備えたので、上記雄コネクターと同様の効果を得ることができる。
【図面の簡単な説明】
【００１７】
【図１】実施の形態１に係る輸液ラインセットの構成を示す概略図である。
【図２】実施の形態１に係る雄コネクターの平面及び側面を示す図である。
【図３】実施の形態１に係る雄コネクターの断面模式図である。
【図４】実施の形態１に係る雌コネクターの正面、側面、背面、及び断面を示す図である。
【図５】実施の形態１に係る雄コネクターと雌コネクターとを接続した状態を示す断面模式図である。
【図６】実施の形態２に係る輸液ラインの接続装置を説明する図である。
【図７】実施の形態３に係る雄コネクターの断面模式図である。
【図８】実施の形態４に係る雄コネクターの断面模式図である。
【発明を実施するための形態】
【００１８】
実施の形態１．
図１は、実施の形態１に係る輸液ラインセットの構成例を示す図である。
輸液ラインセット１は、薬液等を供給するためのものであり、薬液等の流体が入った流体容器２と、チューブ３と、点滴筒４と、チューブ５と、ローラクランプ６と、雄コネクター１００と、雌コネクター２００と、チューブ７とを備えている。そして、雄コネクター１００と雌コネクター２００とにより、輸液ラインの接続装置３００を構成している。
【００１９】
流体容器２は、薬液、栄養剤、抗がん剤、生理食塩水、血液などの各種医療用液体を貯留する容器である。
点滴筒４は、チューブ３を介して流体容器２から供給される薬液等を内部に一時的に溜めるとともに、チューブ５を介して薬液等を所定量ずつローラクランプ６側に送る。
ローラクランプ６は、チューブ５を介して供給される薬液等の流量を調節するためのものである。ローラクランプ６は、軟質のチューブ５を圧迫することにより流量調節が可能であり、チューブ５を最大限まで圧迫すると薬液等の流れを停止させることができる。
【００２０】
雄コネクター１００はチューブ５の下流側先端に取り付けられ、雌コネクター２００はチューブ７に取り付けられていて、雄コネクター１００を雌コネクター２００に接続することで、チューブ５とチューブ７とが接続される。
【００２１】
図２は、雄コネクター１００を示す図であり、（ａ）は平面を、（ｂ）は側面を示している。図３は、雄コネクター１００の断面模式図であり、（ａ）は可動鈍針１０が軸方向先端側に位置している状態を、（ｂ）は可動鈍針１０が軸方向後端側に位置している状態を、（ｃ）は説明のため（ｂ）の弁５０を記載していない状態をそれぞれ示している。図２及び図３においては、説明上、図面右側を先端側、図面左側を後端側とする。
【００２２】
雄コネクター１００は、液体の流通が可能な可動鈍針１０と、可動鈍針１０とほぼ同軸にして可動鈍針１０の外側に形成された外筒体２０と、チューブやカテーテル等に接続される円筒状の接続部４０と、外筒体２０と接続部４０とを連結する連結部３０とを備えている。また、可動鈍針１０の後端側（流路入口側）を塞ぐようにして、弁５０が設けられている。
【００２３】
可動鈍針１０の先端には、接続相手先となる雌コネクター２００に挿入される鈍針部１１が設けられている。可動鈍針１０の軸方向中程には、径方向外側に突出する肩部１２が形成されている。肩部１２の外径は、鈍針部１１の外径よりも大きい。可動鈍針１０の後端部には、径方向外側に広がる鍔部１３が形成されている。鍔部１３の後端面は、面取りされて断面において弧を描いており、この面を弁押圧面１４と称する。
【００２４】
外筒体２０は、可動鈍針１０とほぼ同軸に可動鈍針１０の外側に形成され、可動鈍針１０を囲繞する外筒部２１と、外筒部２１の後端部から内向きに延びた底部２２とを備えており、大まかには有底円筒状である。底部２２のほぼ中心位置には可動鈍針１０を挿入可能な穴２２ａが形成されている。穴２２ａの径は、可動鈍針１０を軸方向に移動可能としつつも、可動鈍針１０と穴２２ａとの間を液密に保つことのできる程度の大きさである。底部２２の外側には軸方向後端側に向かって鈍針保持筒部２９が形成されている。鈍針保持筒部２９は、穴２２ａと同じ大きさの内腔を有している。可動鈍針１０は、底部２２に設けられた穴２２ａと鈍針保持筒部２９とによって軸方向に移動可能に保持されている。すなわち、本実施の形態１では、底部２２の穴２２ａと鈍針保持筒部２９が、本発明の鈍針保持部に相当する。なお、鈍針保持筒部２９を設けているのは、鈍針保持部の軸方向の長さを長くして可動鈍針１０を保持する安定性を向上させるためである。鈍針保持筒部２９の長さを長くすることで、可動鈍針１０が径方向に揺動するのを抑制できる。また、鈍針保持筒部２９の外径は、本実施の形態１では後端側に向かって階段状に外径が小さくなるよう構成されているが、これは、連結部３０との接触面積を増やして外筒体２０と連結部３０との接着又は溶着の信頼性を向上させるためであり、この形状に限定するものではない。なお、鈍針保持筒部２９を設けず底部２２の穴２２ａで可動鈍針１０を保持してもよい。
【００２５】
外筒体２０の先端周縁部には、雌コネクター２００を係止して連結するための溝部２３で画定された係止部２６が設けられている。本実施の形態では、溝部２３及び係止部２６は、外筒部２１の周方向に対向する位置に２つ設けられている。溝部２３は、外筒部２１の軸方向先端側から後端側に向かう切欠部２３ａとこれに連続して周方向に向かう切欠部２３ｂとを備えていて、雌コネクター２００の突起７２（後述する）を嵌合可能である。
【００２６】
外筒体２０の係止部２６は、溝部２３の奥側に位置していて、軸方向の力に対応する係止面２４と、この係止面２４からフック状に延設され周方向の力に対応する鉤面２５とにより形成されている。鉤面２５の後述する突起７２との係合面は直線状に形成するものとする。また、係止面２４と鉤面２５とが鋭角な角度を構成して形成されているのが好ましい。また、係止面２４は、軸方向の引っ張り力に対応することができるように、軸方向とほぼ直交するように形成されているのが好ましい。また、溝部２３において、係止面２４と鉤面２５の交点に斜めに対向する面は、弧状に凹んだ弧面２７が形成されている。
【００２７】
連結部３０は、外筒体２０の後端側と接続部４０の先端側とを接続するとともに、接続部４０と協働して弁５０を保持する。連結部３０は、先端部３１、中間部３２、後端部３３の順に階段状に外径が小さくなるよう構成されているが、大まかには筒形状である。先端部３１の外径は接続部４０の先端部４３や外筒部２１の外径とほぼ同じである。中間部３２の外径は、接続部４０の先端部４３の内径とほぼ同じであり、中間部３２の外壁は先端部４３の内壁に接着剤等により密着されている。後端部３３の外径は、中間部３２の外径よりも小さく構成されている。したがって、後端部３３の外壁と、接続部４０の先端部４３の内壁との間には、環状の空間（隙間）が形成される。この環状の空間は、弁５０を保持する弁保持部である。
【００２８】
接続部４０は、チューブ５のほかカテーテルやシリンジなどの管状体に接続可能であって、ほぼ円筒状に形成されている。本実施の形態１では、接続部４０の後端部に位置する管連結部４１をチューブ５に挿入することにより、チューブ５が雄コネクター１００に接続されるようになっているが、チューブ５の接続態様はこれに限定するものではない。例えば、接続部４０の内部に雌ルアーコネクターが形成されていてもよいし、また、接続部４０の外周面に雄ネジを備えていてもよい。また、接続部４０の内部には、流体が流通可能な流通路４２が形成されている。接続部４０の先端部４３は、外筒部２１とほぼ同じ外径の円筒状に構成されている。管連結部４１と、管連結部４１よりも外径の大きい先端部４３とを接続するようにして、徐々に外径が広がる中間部４４が形成されている。
【００２９】
弁５０は、可動鈍針１０の流路入口側、すなわち軸方向後端側を塞ぐようにして、連結部３０と接続部４０とにより保持されている。より詳しくは、連結部３０の後端部３３の外壁と、接続部４０の先端部４３の内壁との間に形成される環状の隙間に、弁５０の外周に起立するように設けられたリブ５２を挿入することにより、弁５０が保持される。
【００３０】
弁５０は、弾性及び伸縮性を備えた素材（例えば、板状のゴム）で構成されており、その中央に、伸縮することにより開口したり閉口したりする伸縮穴部５１が形成されている。このように構成された弁５０は、所定の押圧力が加わることにより伸びて伸縮穴部５１を開口させ、その押圧力が解除されることにより収縮して伸縮穴部５１を閉口させる。この伸縮穴部５１が閉口しているときには、可動鈍針１０の流路入口側が弁５０により塞がれ、流通路４２から可動鈍針１０へ薬液が流れなくなる。
【００３１】
雄コネクター１００の材質を限定するものではないが、例えば、ポリプロピレン、ポリカーボネート等の樹脂を用いることができる（弁５０を除く）。また、連結部３０と接続部４０を、寸法精度の高い成形品を得ることのできる樹脂（例えばポリカーボネート）により構成し、可動鈍針１０を移動可能に保持する外筒体２０を、摺動性が高い樹脂（例えばポリアセタール）により構成してもよく、このようにすることで樹脂の特性を活かした雄コネクター１００を得ることができる。また、透明性の高いポリカーボネートにより外筒体２０、連結部３０、及び接続部４０を構成することで、内部を流れる薬液等の視認性を向上させることができる。また、可動鈍針１０については、耐薬剤性に優れるポリプロピレンで構成するのが好ましい。
【００３２】
また、外筒体２０と連結部３０とを一体に構成してもよい。このようにしても可動鈍針１０を軸方向に移動可能に保持する機能、及び接続部４０との間で弁５０を保持する機能を発揮することができる。
【００３３】
このように構成された雄コネクター１００は、可動鈍針１０を軸方向先端側に位置している状態では、図３（ａ）に示すように、鍔部１３が外筒体２０の鈍針保持筒部２９の後端に当接して、可動鈍針１０の軸方向先端側への移動を停止させる。
【００３４】
図４は、実施の形態１に係る雌コネクター２００を示す図であり、（ａ）は正面を、（ｂ）は側面を、（ｃ）は背面を、（ｄ）は（ｂ）の断面を示している。雌コネクター２００は、ほぼ円筒状に形成されたハウジング７１と、セプタム８１とを備えている。なお、説明上、図４（ｂ）における図面右側を軸方向先端側、図面左側を軸方向後端側とする。
【００３５】
ハウジング７１は合成樹脂等（例えばポリカーボネート）で構成されていてほぼ円筒状であり、軸方向先端側及び後端側に開口部を設けている。ハウジング７１の先端側内部には、ハウジング７１とほぼ同軸に接続管７３が設けられていて、ハウジング７１と接続管７３とにより二重筒部を構成している。この接続管７３は、チューブ７の内腔に挿入されて雌コネクター２００とチューブ７とを連通させる。ハウジング７１の先端側内周面には、雌ねじ７５が設けられており、この雌ねじ７５によってチューブ７の接続部（図示せず）に螺合接続できるようになっている。ハウジング７１の内部後端側には、セプタム８１を収容可能な空間であるセプタム収容部７４が設けられている。
【００３６】
ハウジング７１の外周面には、雄コネクター１００の溝部２３に嵌合可能で、係止部２６に係止可能な突起７２が少なくとも２つ対向して設けられている。突起７２の、雄コネクター１００の鉤面２５との係合面は、両者が直線状に係合できるように直線状に形成する。さらに、突起７２は、雄コネクター１００の係止面２４と鉤面２５の双方に接しつつそれらに嵌合する形状とするのが好ましい。なお、突起７２の数を限定するものではないが、ハウジング７１の径方向の対向する位置に一対以上設けるのが好ましい。このようにすることで、雄コネクター１００との係合状態が偏るのを防ぐことができる。
【００３７】
セプタム８１は、ゴムや熱可塑性エラストマーなどの弾性体で構成されていて、ハウジング７１の後端側開口部の近傍にあるセプタム収容部７４内に配置されている。セプタム８１の中心部には、雄コネクター１００の可動鈍針１０の鈍針部１１を挿入可能なスリット８２が形成されている。セプタム８１は、鈍針部１１の挿入の容易性と、鈍針部１１を引き抜いた後のシール性との両方を適切にする弾性力を有している。また、セプタム８１の軸方向の厚さは、雄コネクター１００の係止部２６と雌コネクター２００の突起７２とを係合状態としたときに、スリット８２が開いて可動鈍針１０と接続管７３内とで流体が流通可能となる程度の厚さである。
【００３８】
保持部材７６は、図４（ａ）に示すように正面から見るとドーナツ状であり、ハウジング７１の後端側開口部に外側から嵌めることで、ハウジング７１の開口部の縁を覆うようにして取り付けられるようになっている。保持部材７６は、ハウジング７１の後端側開口部からセプタム８１が脱落するのを防いでいる。保持部材７６の中央には円形の穴が形成されており、この穴を介してセプタム８１のスリット８２に可動鈍針１０を挿入できるようになっている。
【００３９】
このように構成された輸液ラインの接続装置３００における、雄コネクター１００と雌コネクター２００の接続について説明する。図５は、雄コネクター１００と雌コネクター２００を接続した状態を示す断面模式図である。なお、図５においては、説明上、図面右側を軸方向先端側、図面左側を軸方向後端側とする。
【００４０】
雄コネクター１００と雌コネクター２００とを接続する際には、雄コネクター１００の可動鈍針１０の鈍針部１１を、雌コネクター２００のセプタム８１のスリット８２に挿入し、雄コネクター１００を押圧する。そうすると、鈍針部１１が挿入されることによりセプタム８１のスリット８２が開いていく。そして、スリット８２と鈍針部１１の外壁との摩擦により可動鈍針１０が軸方向後端側に移動する。さらに、可動鈍針１０の肩部１２がセプタム８１の表面に当接して雌コネクター２００から押圧力を受け、この押圧力によっても可動鈍針１０が軸方向後端側に移動する。ここで、ハウジング７１は、雄コネクター１００の外筒体の内側に挿入される。
【００４１】
このとき、雌コネクター２００の突起７２を雄コネクター１００の溝部２３に嵌合させながら、雌コネクター２００又は雄コネクター１００を周方向に回転させつつ互いが近づく方向に押圧する。このようにすると、雌コネクター２００の突起７２が溝部２３内を進んで係止部２６に係止され、突起７２が溝部２３内に位置規制される。突起７２の直線面７２ａは係止面２４と直線状に接し、直線面７２ｂは鉤面２５に直線状に接し、面取りされた外周部７２ｃは弧面２７に接する。係止面２４により突起７２の軸方向への移動が規制され、鉤面２５により突起７２の周方向への移動が規制されるので、雄コネクター１００と雌コネクター２００とが安定した状態で接続される。これにより、この直線状に接している部分の長さの範囲で雄コネクター１００と雌コネクター２００がずれても、これらの係合が外れることがなくなり、雄コネクター１００と雌コネクター２００との接続が安定する。また、係止部２６の係止面２４と鉤面２５とが鋭角な角度を構成して形成されているので、突起７２が係止面２４と鉤面２５の双方に密着状態に嵌合する。このため、突起７２が係止部２６から一層外れにくくなり、雄コネクター１００と雌コネクター２００との接続をさらに安定させることができる。
【００４２】
また、雌コネクター２００に設けられたセプタム８１は雄コネクター１００の可動鈍針１０の肩部１２と当接し、セプタム８１の弾性力により、突起７２は係止面２４に押圧・密着される方向に付勢されている。このため、係止部２６と突起７２との係合をより強固にすることができる。
【００４３】
このように雌コネクター２００の突起７２を雄コネクター１００の係止部２６に係止させると、図５に示すように、可動鈍針１０が雄コネクター１００の軸方向後端側に移動して可動鈍針１０の後端部にある弁押圧面１４が弁５０を押圧し、弁５０の伸縮穴部５１が開口して可動鈍針１０の流路入口側が開通状態となる。また、可動鈍針１０がセプタム８１を貫通した状態となる。これにより、雌コネクター２００と雄コネクター１００との間で流体が流通可能になる。また、可動鈍針１０が弁５０を押圧して伸縮穴部５１を開口させた状態において、可動鈍針１０の肩部１２が雌コネクター２００のセプタム８１表面に当接するので、可動鈍針１０の軸方向先端側への移動が規制されて雌コネクター２００と雄コネクター１００との接続状態が安定する。また、弁５０を押圧する可動鈍針１０の弁押圧面１４は面取りされていてなだらかであるので、弁５０を押圧したときに弁５０を傷つけるのを抑制することができる。
【００４４】
また、雄コネクター１００と雌コネクター２００の接続を解除する際には、雄コネクター１００と雌コネクター２００とを互いに近づける方向に押圧しつつ、突起７２を鉤面２５から外すようにして雄コネクター１００又は雌コネクター２００を接続時とは逆方向に回転させる。上述したように係止部２６と突起７２とにより雄コネクター１００と雌コネクター２００は軸方向及び周方向に安定的に接続されているが、可動鈍針１０は軸方向への移動が可能であるので、雄コネクター１００と雌コネクター２００とが近づく方向に押したときに、可動鈍針１０の移動可能範囲が押圧方向のあそびとなり、押圧しやすい。このため、雄コネクター１００と雌コネクター２００の接続を解除する際に、雄コネクター１００と雌コネクター２００とが近づく方向に押すときの術者の負担を軽減でき、接続を解除しやすくすることができる。また、突起７２の外周部７２ｃと弧面２７とは共に弧状に形成されているので、係止部２６と突起７２とを摺動させながら係合を解除でき、解除が容易である。
【００４５】
また、係止部２６と突起７２とにより雄コネクター１００と雌コネクター２００の接続状態を固定するので、接続状態において雄コネクター１００と雌コネクター２００との距離は一定に保たれる。このため、係止部２６と突起７２とを係合させることにより、可動鈍針１０の雌コネクター２００への挿入状態が過剰となったり不足したりということを抑制でき、雄コネクター１００と雌コネクター２００との間で流体を安定的に流通させることができる。
【００４６】
以上のように、本実施の形態１に係る雄コネクター１００は、内部に流路を有し液体の流通が可能な可動鈍針１０が、底部２２の穴２２ａと鈍針保持筒部２９により構成される鈍針保持部によって軸方向に移動可能に保持されている。そして、可動鈍針１０の流路入口を塞ぐように設置され、可動鈍針１０が軸方向後端側に移動したときの押圧により開口する弁５０を設けている。そして、雌コネクター２００に可動鈍針１０を挿入すると可動鈍針１０が軸方向後端側に移動して弁５０を開口させ、可動鈍針１０の流路入口側が開口した状態において肩部１２が雌コネクター２００に当接している。このため、雄コネクター１００と雌コネクター２００との間で薬液等の流体の流通が可能となる。また、肩部１２が雌コネクター２００に当接するので、可動鈍針１０の軸方向先端側への移動が規制されて雌コネクター２００と雄コネクター１００との接続状態が安定する。そして、雄コネクター１００を雌コネクター２００から取り外したときには、可動鈍針１０による弁５０への押圧が解除され弁５０が閉口して可動鈍針１０へ流体が流れなくなる。このため、雄コネクター１００が雌コネクター２００から離脱した場合でも液体が漏れることがない。したがって、雄コネクター１００と雌コネクター２００とを接続あるいは離脱する作業時やプライミング時においても、薬液等が飛散して術者等に付着するのを抑制することができる。また、意図せず雄コネクター１００が雌コネクター２００から離脱した場合でも液体が漏れることがないので、液体漏れによるシーツ交換や床掃除等の手間もかからず、液体がこぼれて無駄になることもない。
【００４７】
また、弁５０は、可動鈍針１０が軸方向後端側に移動したとき、すなわち、雄コネクター１００を雌コネクター２００に接続したときにのみ変形し、連結部３０と接続部４０とにより安定的に保持されている。このため、弁５０の変形量を最小限に抑えることができ、弁５０の耐久力低下を抑制できる。
【００４８】
また、可動鈍針１０を囲繞する外筒体２０には、雌コネクター２００に設けられた突起７２を軸方向に係止可能な係止面２４及び周方向に係止可能な鉤面２５を有する係止部２６が設けられていて、雌コネクター２００に設けられた突起７２を雄コネクター１００の係止部２６に係止させると、可動鈍針１０が軸方向後端側に移動して弁５０が開口する。このため、雄コネクター１００と雌コネクター２００が接続されているときには、突起７２と係止部２６とが係止状態であるため、術者が意図しないときに雌コネクター２００から雄コネクター１００が外れるのを抑制することができる。また、接続状態において雄コネクター１００と雌コネクター２００との距離を一定に保つことができるので、雄コネクター１００と雌コネクター２００との間で流体を安定的に流通させることができる。
【００４９】
なお、本実施の形態１では、雄コネクター１００の接続相手先として雌コネクター２００の例を示したが、雄コネクター１００の接続相手先はこれに限定するものではなく、例えば、可動鈍針１０を挿入可能なセプタムを備えた三方活栓等でもよい。
【００５０】
実施の形態２．
本実施の形態２では、雄コネクター１００の可動鈍針１０Ａが、軸方向後端側へ過剰に移動するのを規制するための移動規制部を設ける例を説明する。本実施の形態２では実施の形態１との相違点を中心に説明し、実施の形態１と同一又は対応する構成については同一の符号を付す。
【００５１】
図６は、実施の形態２に係る輸液ラインの接続装置を説明する図であり、（ａ）は雄コネクター１００Ａの断面模式図を、（ｂ）は雄コネクター１００Ａと雌コネクター２００の接続状態の断面模式図である。図６に示すように、肩部１２よりも軸方向後端側の所定位置において、可動鈍針１０Ａの外径が階段状に小さくなっている。逆にいうと、鈍針保持部（底部２２の穴２２ａ及び鈍針保持筒部２９）の内径よりも、外径が階段状に大きくなっている。この階段状に外径が異なっている部分が、移動規制部６０Ａである。
【００５２】
移動規制部６０Ａは、可動鈍針１０Ａが軸方向後端側に移動して弁５０が所定の開口状態となったときに、鈍針保持部の先端である穴２２ａの開口面（底部２２）に当接して、可動鈍針１０Ａの軸方向後端側への移動を規制する。図６（ｂ）に示すように、雄コネクター１００Ａと雌コネクター２００とを接続すると、雄コネクター１００Ａの底部２２と雌コネクター２００のセプタム８１の表面との間にできる空間に、可動鈍針１０Ａの肩部１２から移動規制部６０Ａまでの部位が嵌合する。具体的には、底部２２の内面から係止面２４までの距離は、移動規制部６０Ａから肩部１２までの距離とセプタム８１の先端面から突起７２の先端面（図６（ｂ）において図面右側の面）までの距離を足した距離以下となるように構成している。このため、突起７２を係止面２４に係止させて雌コネクター２００と雄コネクター１００Ａとを接続することで、肩部１２がセプタム８１の表面に確実に当接して可動鈍針１０Ａを押し込み、弁５０を確実に開口させることができる。
その他の構成及び作用は、実施の形態１と同様である。
【００５３】
以上のように、本実施の形態２によれば、可動鈍針１０Ａが軸方向後端側に移動して弁５０が所定の開口状態となったときに、鈍針保持部に当接して可動鈍針１０Ａの軸方向後端側への移動を規制する移動規制部６０Ａを、可動鈍針１０Ａの外周部に備えた。このため、実施の形態１で示した効果に加えて、可動鈍針１０Ａが過剰に軸方向後端側に移動して弁５０を押し広げすぎるのを防ぐことができる。弁５０を過剰に押し広げすぎることがないので、弁５０の伸縮穴部５１を破損したり、弁５０のへたりを助長したりといったことも回避できる。
【００５４】
実施の形態３．
本実施の形態３では、雄コネクターの可動鈍針に設けた移動規制部の、他の構成例を説明する。図７は、実施の形態３に係る雄コネクター１００Ｂの断面模式図である。なお、本実施の形態３では実施の形態２との相違点を中心に説明し、実施の形態１、２と同一又は対応する構成については同一の符号を付す。
【００５５】
可動鈍針１０Ｂの肩部１２よりも軸方向後端側の所定位置には、移動規制部６０Ｂが設けられている。本実施の形態３では、移動規制部６０Ｂは、可動鈍針１０Ｂの周方向外側に向かって突出する突起である。この移動規制部６０Ｂを構成する突起は、可動鈍針１０Ｂの周方向における対向する位置に、少なくとも２つ（一対）設けられている。可動鈍針１０Ｂが軸方向後端側に移動して弁５０が所定の開口状態となったときに、鈍針保持部の先端である穴２２ａの開口面（底部２２）に当接して、可動鈍針１０Ｂの軸方向後端側への移動を規制する。
【００５６】
以上のように、本実施の形態３に係る移動規制部６０Ｂを備えた雄コネクター１００Ｂによっても、実施の形態２と同様の効果を得ることができる。
【００５７】
実施の形態４．
本実施の形態４では、雄コネクターの可動鈍針に設けた移動規制部の、他の構成例を説明する。図８は、実施の形態４に係る雄コネクター１００Ｃの断面模式図である。なお、本実施の形態４では実施の形態２との相違点を中心に説明し、実施の形態１、２と同一又は対応する構成については同一の符号を付す。
【００５８】
可動鈍針１０Ｃの肩部１２よりも軸方向後端側の所定位置には、移動規制部６０Ｃが設けられている。本実施の形態４では、移動規制部６０Ｃは、可動鈍針１０Ｃの周方向外側に向かってフランジ状に張り出す鍔である。この移動規制部６０Ｃを構成する鍔は、本実施の形態４では、可動鈍針１０Ｃの外周を一周しているが、必ずしもこの長さに限定するものではない。可動鈍針１０Ｃが軸方向後端側に移動して弁５０が所定の開口状態となったときに、鈍針保持部の先端である穴２２ａの開口面（底部２２）に当接して、可動鈍針１０Ｃの軸方向後端側への移動を規制する。
【００５９】
以上のように、本実施の形態４に係る移動規制部６０Ｃを備えた雄コネクター１００Ｃによっても、実施の形態２と同様の効果を得ることができる。
【符号の説明】
【００６０】
１  輸液ラインセット、２  流体容器、３  チューブ、４  点滴筒、５  チューブ、６  ローラクランプ、７  チューブ、１０、１０Ａ、１０Ｂ、１０Ｃ  可動鈍針、１１  鈍針部、１２  肩部、１３  鍔部、１４  弁押圧面、２０  外筒体、２１  外筒部、２２  底部、２２ａ  穴、２３  溝部、２３ａ  切欠部、２３ｂ  切欠部、２４  係止面、２５  鉤面、２６  係止部、２７  弧面、２９  鈍針保持筒部、３０  連結部、３１  先端部、３２  中間部、３３  後端部、４０  接続部、４１  管連結部、４２  流通路、４３  先端部、４４  中間部、５０  弁、５１  伸縮穴部、５２  リブ、６０、６０Ａ、６０Ｂ、６０Ｃ  移動規制部、７１  ハウジング、７２  突起、７２ａ  直線面、７２ｂ  直線面、７２ｃ  外周部、７３  接続管、７４  セプタム収容部、７５  雌ねじ、７６  保持部材、８１  セプタム、８２  スリット、１００、１００Ａ、１００Ｂ、１００Ｃ  雄コネクター、２００  雌コネクター、３００  接続装置。
【図１】
0005562130.tif 000002
【図２】
0005562130.tif 000003
【図３】
0005562130.tif 000004
【図４】
0005562130.tif 000005
【図５】
0005562130.tif 000006
【図６】
0005562130.tif 000007
【図７】
0005562130.tif 000008
【図８】
0005562130.tif 000009